【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】光出力制御装置及び記録媒体駆動装置
【手続補正２】
【補正対象書類名】明細書
【補正対象項目名】特許請求の範囲
【補正方法】変更
【補正の内容】
【特許請求の範囲】
【請求項１】  信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備えること
を特徴とする光出力制御装置。
【請求項２】  上記第１及び第２の低域通過フィルタは、信号通過帯域が同一とされること
を特徴とする請求項１記載の光出力制御装置。
【請求項３】  上記第１の差分信号算出手段は、所定の定数が掛けられた上記第１の低域通過フィルタで平滑化された信号により、上記差分信号を算出すること
を特徴とする請求項１記載の光出力制御装置。
【請求項４】  上記第１及び第２の低域通過フィルタは、複数の信号通過帯域に切換え可能とされており、
上記第１及び第２の低域通過フィルタは、データの記録開始時に高い信号通過帯域とされ、データの記録開始から所定時間経過後に低い信号通過帯域へと切り替えられること
を特徴とする請求項１記載の光出力制御装置。
【請求項５】  上記第１及び第２の低域通過フィルタは、複数の信号通過帯域に切換え可能とされており、
ディスク状の上記信号記録媒体の内外周へアクセスをする際には、高い信号通過帯域とされること
を特徴とする請求項１記載の光出力制御装置。
【請求項６】  上記データの書き込み用信号及び上記光検出信号は、略パルス波形からなる信号であること
を特徴とする請求項１記載の光出力制御装置。
【請求項７】  上記光検出手段は、上記光源からの出射光を直接的に検出する出射光光検出手段であること
を特徴とする請求項１記載の光出力制御装置。
【請求項８】  上記光検出手段は、上記光源からの出射光の上記信号記録媒体で反射された戻り光を検出する戻り光光検出手段であること
を特徴とする請求項１記載の光出力制御装置。
【請求項９】  上記差分信号から上記信号記録媒体に対するデータの書き込み特性に基づく参照値を引き算すること
を特徴とする請求項８記載の光出力制御装置。
【請求項１０】  上記駆動電流切換手段は、データの書き込み用信号と所定の読み出し用信号とからなる信号に基づいて上記駆動電流の電流値を切り替えており、
上記光検出手段は、上記光源からの出射光を直接的に検出する出射光光検出手段と、上記光源からの出射光の上記信号記録媒体で反射された戻り光を検出する戻り光光検出手段とからなり、上記第２の低域通過フィルタには、上記出射光検出手段が検出した上記光検出信号が入力されており、
上記戻り光光検出手段が検出した上記光検出信号内の読み出し用信号成分を検出して検出読み出し用信号を出力する第１の信号検出手段と、
上記検出読み出し用信号と所定の基準読み出し用信号との差分信号を算出して読み出し差分信号を出力する第２の差分信号算出手段と、
上記読み出し差分信号に応じて上記電流値を制御する第２の可変電流手段とを備えること
を特徴とする請求項１記載の光出力制御装置。
【請求項１１】  上記第１の信号検出手段は、再生時に発生するサンプリング信号により、上記読み出し用信号成分をサンプルホールドするサンプルホールド手段であること
を特徴とする請求項１０記載の光出力制御装置。
【請求項１２】  上記第１の信号検出手段により検出された上記検出書き込み用信号成分を平滑化する第３の低域通過フィルタと、
上記第１の低域通過フィルタにより平滑化された信号と上記第３の低域通過フィルタにより平滑化された信号との差分信号を算出する第３の差分信号算出手段と、
上記第１の差分信号算出手段が算出した差分信号と上記第３の差分信号算出手段が算出した差分信号との加算信号を算出する加算信号算出手段とを備え、
上記可変電流手段は、上記加算信号に応じて制御されること
を特徴とする請求項１０記載の光出力制御装置。
【請求項１３】  上記加算信号算出手段は、所定の定数が掛けられた上記第３の差分信号算出手段からの信号により、上記加算信号を算出すること
を特徴とする請求項１２記載の光出力制御装置。
【請求項１４】  上記第３の低域通過フィルタは、複数の信号通過帯域に切換え可能とされており、
上記第３の低域通過フィルタは、データの記録開始時に高い信号通過帯域とされ、データの記録開始から所定時間経過後に低い信号通過帯域へと切り替えられること
を特徴とする請求項１２記載の光出力制御装置。
【請求項１５】  上記第３の低域通過フィルタは、複数の信号通過帯域に切換え可能とされており、
ディスク状の上記信号記録媒体の内外周へアクセスをする際には、高い信号通過帯域とされること
を特徴とする請求項１２記載の光出力制御装置。
【請求項１６】  書き込み用信号及び所定の読み出し用信号に基づいて信号記録媒体に光を出射する光源の出力を制御する光出力制御装置であって、
信号記録媒体に対してデータの記録及び／又は再生をするための光を出射する光源と、
上記書き込み用信号に基づいて上記光源への駆動電流を第１の電流値と第２の電流値とで切り替える駆動電流切換手段と、
上記光源からの出射光量を検出して、検出光量に応じた光検出信号を出力する光検出手段と、
上記光検出信号内の読み出し用信号成分を検出して検出読み出し用信号を出力する第１の信号検出手段と、
上記光検出信号と上記検出読み出し用信号との差分から書き込み用信号成分を検出して検出書き込み用信号を出力する第２の信号検出手段と、
上記検出書き込み用信号を平滑化する第１の低域通過フィルタと、
上記第１の低域通過フィルタにより平滑化された信号と所定の基準書き込み用信号との差分信号を算出して書き込み差分信号を出力する第１の差分信号算出手段と、
上記検出読み出し用信号と所定の基準読み出し用信号との差分信号を算出して読み出し差分信号を出力する第２の差分信号算出手段と、
上記書き込み差分信号に応じて上記駆動電流の第１の電流値を制御する第１の可変電流手段と、
上記読み出し差分信号に応じて上記駆動電流の第２の電流値を制御する第２の可変電流手段とを備えること
を特徴とする光出力制御装置。
【請求項１７】  上記書き込み用信号を平滑化して上記所定の基準書き込み用信号を出力する第２の低域通過フィルタを備えていること
を特徴とする請求項１６記載の光出力制御装置。
【請求項１８】  上記第１及び第２の低域通過フィルタは、通過信号帯域が同一とされること
を特徴とする請求項１７記載の光出力制御装置。
【請求項１９】  上記第１及び第２の低域通過フィルタは、複数の信号通過帯域に切換え可能とされており、
上記第１及び第２の低域通過フィルタは、データの記録開始時に高い信号通過帯域とされ、データの記録開始から所定時間経過後に低い信号通過帯域へと切り替えられること
を特徴とする請求項１６記載の光出力制御装置。
【請求項２０】  上記第１及び第２の低域通過フィルタは、複数の信号通過帯域に切換え可能とされており、
ディスク状の上記信号記録媒体の内外周へアクセスをする際には、高い信号通過帯域とされること
を特徴とする請求項１６記載の光出力制御装置。
【請求項２１】  上記書き込み用信号及び上記検出書き込み用信号は、略パルス形状の波形からなる信号であること
を特徴とする請求項１７記載の光出力制御装置。 
【請求項２２】  上記第１の差分信号算出手段は、所定の定数が掛けられた上記第１の低域通過フィルタにより平滑化された信号により、上記差分信号を算出すること
を特徴とする請求項１６記載の光出力制御装置。
【請求項２３】  上記第１の信号検出手段は、再生時に発生するサンプリング信号により、上記読み出し成分信号をサンプルホールドするサンプルホールド手段であること
を特徴とする請求項１６記載の光出力制御装置。
【請求項２４】  信号記録媒体に光を出射する光源の出力を制御する光出力制御部を有する記録媒体駆動装置において、
上記光出力制御部は、
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備えること
を特徴とする記録媒体駆動装置。
【請求項２５】  上記駆動電流切換手段は、データの書き込み用信号と所定の読み出し用信号とからなる信号に基づいて上記駆動電流の電流値を切り替えており、
上記光検出手段は、上記光源からの出射光を直接的に検出する出射光光検出手段と、上記光源からの出射光の上記信号記録媒体で反射された戻り光を検出する戻り光光検出手段とからなり、上記第２の低域通過フィルタには、上記出射光検出手段が検出した上記光検出信号が入力されており、
上記戻り光光検出手段が検出した上記光検出信号内の読み出し用信号成分を検出して検出読み出し用信号を出力する第１の信号検出手段と、
上記検出読み出し用信号と所定の基準読み出し用信号との差分信号を算出して読み出し差分信号を出力する第２の差分信号算出手段と、
上記読み出し差分信号に応じて上記電流値を制御する第２の可変電流手段とを備えること
を特徴とする請求項２４記載の記録媒体駆動装置。
【請求項２６】  書き込み用信号及び所定の読み出し用信号に基づいて信号記録媒体に光を出射する光源の出力を制御する光出力制御部を有する記録媒体駆動装置であって、
上記光出力制御部は、
信号記録媒体に対してデータの記録及び／又は再生をするための光を出射する光源と、
上記書き込み用信号に基づいて上記光源への駆動電流を第１の電流値と第２の電流値とで切り替える駆動電流切換手段と、
上記光源からの出射光量を検出して、検出光量に応じた光検出信号を出力する光検出手段と、
上記光検出信号内の読み出し用信号成分を検出して検出読み出し用信号を出力する第１の信号検出手段と、
上記光検出信号と上記検出読み出し用信号との差分から書き込み用信号成分を検出して検出書き込み用信号を出力する第２の信号検出手段と、
上記検出書き込み用信号を平滑化する第１の低域通過フィルタと、
上記第１の低域通過フィルタにより平滑化された信号と所定の基準書き込み用信号との差分信号を算出して書き込み差分信号を出力する第１の差分信号算出手段と、
上記検出読み出し用信号と所定の基準読み出し用信号との差分信号を算出して読み出し差分信号を出力する第２の差分信号算出手段と、
上記書き込み差分信号に応じて上記駆動電流の第１の電流値を制御する第１の可変電流手段と、
上記読み出し差分信号に応じて上記駆動電流の第２の電流値を制御する第２の可変電流手段とを備えること
を特徴とする記録媒体駆動装置。
【手続補正３】
【補正対象書類名】明細書
【補正対象項目名】０００１
【補正方法】変更
【補正の内容】
【０００１】
【発明の属する技術分野】
本発明は、光を出射する光源の出力を制御する光出力制御装置及び記録媒体駆動装置に関し、詳しくは、光ピックアップ装置の備えるデータの記録及び／又は再生のための光源の出力を制御するのに好適な光出力制御装置及び記録媒体駆動装置に関する。
【手続補正４】
【補正対象書類名】明細書
【補正対象項目名】００１２
【補正方法】変更
【補正の内容】
【００１２】
そこで、本発明は、上述した実情に鑑みてなされたものであり、高速でデータの記録や再生を行う場合であっても、光源の出力を的確に制御することができる光出力制御装置及び記録媒体駆動装置を提供することを目的としている。